(57)【要約】【課題】  海藻を十分に生長させることができ、線条が外れにくい藻場構造体が望まれている。【解決手段】  藻場構造体１は、海中に沈められる錘基台２と、錘基台２の角隅部に上向きに立設された４本の柱体１０，１０，１０，１０と、柱体１０，１０の下部間に架け渡された下部横架材１１，１１，１１，１１と、柱体１０，１０の上部を連結する上部連結部材１２，１２，１２，１２とを備え、下部横架材１１と上部連結部材１２との間に複数の線条１６，１６，１６，・・・を張架した構成にしてある。柱体１０，１０，１０，１０はそれぞれ上端に向かうほど互いに近づくように傾斜配置されて構造体全体がピラミッド状になっている。上部連結部材１２，１２，１２，１２で囲まれた上面開口１７を備えている。【選択図】      図１
2006042717.tif 000002
【特許請求の範囲】
【請求項１】
海中に沈められる錘基台と、錘基台に上向きに立設された少なくとも２本の柱体と、各柱体の下部間に架け渡された下部横架材と、各柱体の上部を連結する上部連結部材とを備え、下部横架材と上部連結部材との間に複数の線条を張架したことを特徴とする藻場構造体。
【請求項２】
錘基台の周縁部に当該周方向に間隔を開けて３本以上の柱体が立設され、各柱体の上部を連結する上部連結部材で囲まれて上面開口が形成され、当該上面開口は各柱体および複数の線条で囲まれる空間に人が出入り可能に形成されている請求項１に記載の藻場構造体。
【請求項３】
各柱体は、当該上端に向かうほど互いに近づくように傾斜配置されている請求項１または請求項２に記載の藻場構造体。
【請求項４】
錘基台に対し、全ての柱体が着脱可能に取り付けられている請求項１または請求項２に記載の藻場構造体。
【請求項５】
錘基台に石材載置部が設けられ、当該石材載置部に上下貫通する通水孔が設けられている請求項１から請求項３のいずれか一項に記載の藻場構造体。
【発明の詳細な説明】
【技術分野】
【０００１】
本発明は、魚貝類の繁殖を促進する藻場を提供する藻場構造体に関するものである。
【背景技術】
【０００２】
岩場に海藻が群生してなる藻場は、サザエ、アワビ、ウニ、エビ、カニ、各種魚類の格好の生息場所となっている。ところが近年、かかる藻場から海藻が無くなる、いわゆる磯焼け現象が全国的に多発して深刻化している。かかる磯焼け現象の発生原因や発生メカニズムは現在のところ完全に解明されていないが、この磯焼け現象を生じた藻場には魚貝類が住みつかなくなる。このような磯焼け現象に対処するために、人工的な藻場を造成しようとする試みが種々なされてきた。
この種の試みとしては、例えば下記の特許文献１に記載された藻場構造体が知られている。この藻場構造体は、海中に沈められる錘基台と、錘基台に上向きに立設された少なくとも２本の柱体と、各柱体間に横向きに張架されたロープとを備えたものであり、張架されたロープに海藻が生長して藻場を形成するようになっている。
【０００３】
【特許文献１】特開２００１−２７５５１５号公報（段落００１０〜００１７、図１〜図３）
【発明の開示】
【発明が解決しようとする課題】
【０００４】
ところで、一般に海藻は日光に向かって上向きに生長し根は下向きに伸びる。しかしながら、特許文献１記載の藻場構造体ではロープが横方向に張られているため、生長途中で海藻が根を大きく張ることができず十分に生長するとは言いがたい。
また、上記のように横向きに張られたロープであると、海上の漁船により引かれる魚網などが引っ掛かりやすい。その場合は、藻場構造体全体が転倒したり、ロープが柱体から外れるおそれがある。
更には、柱体の上端が自由端となっているので、使用している間に柱体が内向きに撓むことがあり、その場合はロープの張り具合が緩んでロープが柱体から外れるおそれがあった。
【０００５】
本発明は、上記した従来の問題点に鑑みてなされたものであって、海藻を十分に生長させることができ、線条が外れにくい藻場構造体の提供を目的とする。
【課題を解決するための手段】
【０００６】
上記目的を達成するために、本発明に係る藻場構造体は、海中に沈められる錘基台と、錘基台に上向きに立設された少なくとも２本の柱体と、各柱体の下部間に架け渡された下部横架材と、各柱体の上部を連結する上部連結部材とを備え、下部横架材と上部連結部材との間に複数の線条を張架した構成にしてある。
【０００７】
また、前記の構成において、錘基台の周縁部に当該周方向に間隔を開けて３本以上の柱体が立設され、各柱体の上部を連結する上部連結部材で囲まれて上面開口が形成され、当該上面開口は各柱体および複数の線条で囲まれる空間に人が出入り可能に形成されているものである。
【０００８】
そして、前記した各構成において、各柱体は、当該上端に向かうほど互いに近づくように傾斜配置されているものである。
【０００９】
更に、前記した各構成において、錘基台に対し、全ての柱体が着脱可能に取り付けられているものである。
【００１０】
また、前記した各構成において、錘基台に魚礁材載置部が設けられ、当該魚礁材載置部に上下貫通する通水孔が設けられているものである。
【発明の効果】
【００１１】
本発明に係る藻場構造体によれば、複数の線条が下部横架材と上部連結部材との間に張架されるので、各線条は縦方向を向いている。従って、線条に生えた海藻は根が下方へ伸びやすく大きく生長する。このように縦向きに張られた線条は海上の漁船により引かれる魚網が接触しても引っ掛かりにくい。
【００１２】
また、上部連結部材で囲まれてなる上面開口が、各柱体および複数の線条で囲まれる空間に人が出入り可能な形状や寸法に形成されている場合は、その上面開口から空間内へ人が入ることができ、空間内に住み着いている魚貝類を容易に採ることができる。
【００１３】
そして、各柱体が当該上端に向かうほど互いに近づくように傾斜配置されている場合は、構造体全体の重心位置が低くなるので、吊下げたときや海底に設置したときの姿勢安定性が高くなる。従って、吊下げて運搬しやすく、波による横方向の力を受けても転倒しにくく、魚網なども引っ掛かりにくい藻場構造体を提供することができる。
【００１４】
更に、錘基台に対し全ての柱体が着脱可能に取り付けられている場合は、経時使用や事故などによって、柱体、下部横架材、上部連結部材などが破損したり線条が断線したときに、全ての柱体、下部横架材、上部連結部材、および線条を一体で、錘基台から取り外すことができる。これらの一体物は藻場構造体全体からすると軽量であるので移動が容易である。すなわち、前記の一体物を、海中に比べて作業しやすい陸上や船上に搬送し修理して再利用することができる。あるいは、海中の別の位置に置かれている錘基台に取り付けるといったことも可能である。
【００１５】
また、錘基台に設けた魚礁材載置部に、上下貫通する通水孔が設けられている場合は、魚礁材載置部の魚礁材に生息している海藻や魚貝類に対し通水孔を通して外部の新鮮な海水が供給される。従って、海藻や魚貝類の生長を促進することができる。
【発明を実施するための最良の形態】
【００１６】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る藻場構造体の正面図、図２は前記藻場構造体の平面図、図３は前記藻場構造体の枠構造を示す斜視図、図４は図２におけるＡ−Ａ線矢視に対応した側断面図である。
各図において、この実施形態に係る藻場構造体１は、構造体全体を海中に沈めるための重量を有する錘基台２と、錘基台２上に設けられた上部枠体３を備えている。錘基台２は、平面正方形状の外側壁を形成するように４枚の鋼板で囲まれた周枠４と、周枠４の枠開口１３内に周枠４の約半分の高さまで流し込まれて固まったコンクリート６とから成っている。コンクリート６内には補強用の鉄筋７が埋設されている。周枠４の上半分に囲まれたコンクリート６の上面は、多数の魚礁材９，９，９，・・・を載せる魚礁材載置部８となっている。この例において、魚礁材９は人頭大の岩石を使用してある。
【００１７】
上部枠体３は、下端に垂直向きの脚部５をそれぞれ有し上端に向かうほど互いに近づくように傾斜配置された４本の柱体１０，１０，１０，１０と、各柱体１０の下部間に架け渡されて溶接などで固着された下部横架材１１，１１，１１，１１と、隣合う柱体１０，１０の上部間を溶接などで連結した上部連結部材１２，１２，１２，１２と、下部横架材１１と上部連結部材１２との間に多数回巻き返して張架された多数のロープ（複数の線条の例）１６，１６，１６，・・・とを備えている。柱体１０，１０，１０，１０の脚部５，５，５，５は、錘基台２のコンクリート流し込み以前に、周枠４の四隅部内面に溶接などで固定・立設されている。下部横架材１１，１１，１１，１１の下面には、材長手方向に適宜の間隔で多数の係止突起１４，１４，１４，・・・が溶接などで垂設されている。４つの上部連結部材１２，１２，１２，１２で囲まれた平面視正方形状の開口は上部枠体３の上面開口１７となっている。
【００１８】
ロープ（線条の例）１６は、その先端部１６Ｂが下部横架材１１の一端に係止されたのち、上部連結部材１２の上面を越えて巻き返され、下部横架材１１に戻されてその下面で巻き返される。このようにして、ロープ１６はひとつの下部横架材１１とその上方に位置する上部連結部材１２との間を多数回往復して巻き回され、末端部１６Ａが下部横架材１１の他端で巻かれて留められる。このロープ１６は下部横架材１１の下面で巻き返されるときに係止突起１４に係止されて下部横架材１１の材長手方向（横方向）の位置ズレが規制され、末広がり状に張架されている。ロープ１６は例えばポリエステル繊維製で太さが１８ｍｍであり、下部横架材１１の長さは２．５ｍである。
【００１９】
上記した構成により、藻場構造体１は外輪郭がピラミッドに似た截頭四角錐状になっており、構造体内部に、４本の柱体１０と、下部横架材１１および上部連結部材１２間に巻き回されたロープ１６と、錘基台２の魚礁材載置部８とに囲まれた空間１５を有している。この空間１５内には、ロープ１６，１６間、下部横架材１１と錘基台２の間、あるいは上面開口１７を通して、海水が自由に出入りする。藻場構造体１全体の重量は台風時などでも海中を移動せず転倒し難い重さ（例えば６〜７トン）となっている。
【００２０】
上記した構成の藻場構造体１は、例えば上部連結部材１２に取り付けた吊り金具（図示省略）にクレーン船のフックが引っ掛けられて吊り上げられ、海藻Ｍが生えると予測される海域に運ばれて水深４〜８ｍの海底に沈められる。このように海底に放置しておくと、海中に浮遊している海藻Ｍの胞子や幼体が主にロープ１６に着床し、図５に示すように、大きく生長する。このとき、魚礁材載置部８上の魚礁材９（図６参照）、錘基台２の周枠４、上部枠体３の柱体１０，下部横架材１１，および上部連結部材１２にも、海藻Ｍが生えて生長する。藻場構造体１に生える海藻Ｍの種類は特に選定されないが、例えばクロメ、アラメ、カジメ、アオサなどが挙げられる。そのうち、アワビやイセエビの好むクロメが生えると予測される海域・水深を選定するとよい。
上記の藻場構造体１において、ロープ１６は、互いに固定配置された下部横架材１１と上部連結部材１２間で縦方向に張架されていることと、下部横架材１１の係止突起１４，１４，１４，・・・により横方向に位置ズレしないことから、張り具合が緩んでロープ１６が外れるといったことがない。そして、海藻Ｍは上向きに生長するので、前記のように縦張りのロープ１６のほうが根が伸びやすく大きく育つ。また、縦張りのロープ１６は海上の漁船により引かれる魚網が接触しても引っ掛かりにくい。
【００２１】
そして、上部枠体３の外輪郭はピラミッド状であり４面が先細に傾斜しているので、４つの外面に比較的均等に日光が当たる。加えて、ロープ１６，１６間、周枠４と下部横架材１１の間、および上面開口１７から空間１５内に、十分な量の海水が流通する。加えて、内部の空間１５が貝類の好む日陰になりやすい。これらの作用に起因して、藻場構造体１の内外で海藻Ｍがよく生長し、空間１５内の魚礁材９，９間でアワビ、サザエなどの貝類Ｓ（図６参照）が大きく育つ。尚、下部横架材１１と錘基台２の間、および上面開口１７は、貝類Ｓを餌とする大型魚が通れない大きさ・開口寸法に設定されている。また、ロープ１６に多くの海藻Ｍが生長すると前記の大型魚はロープ１６，１６間を通れなくなる。これらにより、空間１５内で育つ貝類Ｓが保護される。
【００２２】
一方で、藻場構造体１は、ピラミッド状であることに加えて、下部に位置するコンクリート６により重心が低いので、クレーン船のフックを上部連結部材１２の吊り金具にかけて吊下げたときにも安定した姿勢になり運搬しやすい。また、波による横方向の力を受けても転倒しにくく魚網も引っ掛かりにくい。また、この藻場構造体１は、コンクリートのみで構成した汎用構造体などと比べて１立方メートル当たりの重量が小さく安価で済み、小さなクレーン船を用いた場合でも容易に運搬・設置をすることができる。
他方で、多数基の藻場構造体１，１，１，・・・を海底に適宜間隔で配置し、各藻場構造体１，１間をロープなどでつなぐと、一大マリンファーマを安価なコストで簡単に構築することができる。
【００２３】
次に、別の実施形態の藻場構造体１ａを図７および図８に示す。図示の藻場構造体１ａは、既述した藻場構造体１の構成と比べて上部枠体３はほとんど同じであるが、錘基台２ａが錘基台２と異なっている。柱体１０の脚部５ａには横方向の貫通孔２３が穿設されている。錘基台２ａにおいては、周枠４，４，４，４の内周面に全周にわたって、コンクリート６が堤状に打設されている。コンクリート６は周枠４の内面下端に溶接付けされたＬ字鋼１９で係止されて周枠４から抜け落ちないようになっている。コンクリート６の上面の凹部は魚礁材載置部８となっている。コンクリート６には、コンクリート６の下方空間と魚礁材載置部８の上方空間とを連通して水を通すために、上下貫通する通水孔２０，２０，２０，・・・が複数設けられている。コンクリート６の堤部の四隅部には、柱体１０の脚部５ａを挿し込み可能な内径の取付孔１８，１８，１８，１８が上下方向に沿って形成されている。取付孔１８，１８，１８，１８は、上部枠体３の全ての脚部５ａ，５ａ，５ａ，５ａを同時に挿し込めるような平面配置で設けられている。
【００２４】
そして、柱体１０の脚部５ａを取付孔１８の規定位置まで挿し込んだときに、その脚部５ａの貫通孔２３と連通する位置の周枠４およびコンクリート６に、貫通孔２１および貫通孔２２がそれぞれ設けられている。また、取付孔１８をはさんで貫通孔２２と対面する位置のコンクリート６にも、孔２４が設けられている。錘基台２ａの貫通孔２１，２２、孔２４、および脚部５ａの貫通孔２３を一連に連通する状態で、留め具２５が挿脱可能に差し込まれる。これらの構成によって、錘基台２ａに対し、全ての柱体１０，１０，１０，１０の脚部５ａ，５ａ，５ａ，５ａが着脱可能に取り付けられるようになっている。
【００２５】
前記構成の藻場構造体１ａにおいては、上下貫通する通水孔２０，２０，２０，・・・を通して、錘基台２ａ下方からの新鮮な海水が魚礁材載置部８上の魚礁材９，９間に自然供給されるので、よりいっそう海藻Ｍや貝類Ｓの生長が促進される。また、経時使用や事故などにより、上部枠体３の柱体１０，下部横架材１１，上部連結部材１２などが破損したり、ロープ１６が断線したときは、４つの留め具２５，２５，２５，２５が錘基台２ａおよび脚部５ａから抜き取られる。そして、比較的軽量な上部枠体３が錘基台２ａから取り外されて、新たな上部枠体３と交換される。取り外された上部枠体３は、海中に比べて作業しやすい陸上や船上で修理されて再利用される。上部枠体３に磯焼け現象が生じたためにその上部枠体３だけを他の場所へ移動させようとするときも、同様に錘基台２ａから取り外すことができる。
【００２６】
次に、他の実施形態の藻場構造体１ｂを図９に示す。図示の藻場構造体１ｂは、既述した藻場構造体１の構成と比べ、錘基台２は同じであり上部枠体３ａが上部枠体３と異なっている。
上部枠体３ａにおいて上部枠体３と異なるところは、脚部５から垂直に直立した４本の柱体１０ａ，１０ａ，１０ａ，１０ａと、隣合う柱体１０ａ，１０ａの上部間を溶接などで連結した長尺の上部連結部材１２ａ，１２ａ，１２ａ，１２ａと、これらの上部連結部材１２ａ，１２ａ，１２ａ，１２ａに囲まれて平面視正方形に形成された広い上面開口１７ａとを備えていることである。前記の上面開口１７ａは各柱体１０ａ，１０ａ，１０ａ，１０ａおよび多数のロープ１６，１６，１６，・・・で囲まれる空間１５ａ内に人が出入り可能な大きさ・形状に形成されている。因みに、上部連結部材１２ａの１辺の長さは下部横架材１１とほぼ同じ長さ２．５ｍに設定されている。上部連結部材１２ａの内側面には、材長手方向に適宜の間隔で多数の係止突起２６，２６，２６，・・・がそれぞれ内向きに固設されている。これらの係止突起２６，２６，２６，・・・は、上部連結部材１２ａで巻き返されるロープ１６の横方向の位置ズレを規制するために用いられる。
【００２７】
この藻場構造体１ｂは外輪郭が直方体状に形成されている。すなわち、広い上面開口１７ａから空間１５ａ内へ漁師が簡単に入ることができ、魚礁材９，９間に住みついている貝類を容易に採ることができる。他方で、上面開口１７ａを開閉可能に封止する蓋体（図示省略）を設けておくと、貝類を餌とする大型魚が空間１５ａ内に侵入することを防止でき、魚礁材９，９間での貝類の生長を助ける。
【００２８】
尚、上記した各実施形態では、平面正方形状の錘基台２，２ａの四隅部に４本の柱体１０，１０，１０，１０を立設した例を示したが、本発明はそれに限定されない。錘基台の平面形状は多角形状、円形状、楕円形状、その他の形状など任意であり、その錘基台上に適当な間隔を開けて複数の柱体を配置することができる。例えば、柱体を２本のみ使用し、これら２本の柱体間に上部連結部材および下部横架材を架け渡し、上部連結部材と下部横架材の間に線条を縦向きに張架したものも、本発明に含まれる。
【００２９】
また、上記では１本のロープ（線条）を上部連結部材と下部横架材の間で複数回巻き返して張架した例を示したが、複数本の短い線条を用い、夫々を上部連結部材と下部横架材の間に個々に張架して結びつけたものも本発明に含まれる。そして、線条としては、合成繊維製のロープに限らず、例えば木綿紐、麻紐でも構わない。あるいは金属製のワイヤロープを用いることも可能である。但し、銅のように海藻類に対して毒性を持つものは好ましくない。また、何ら処理を施していない線条を使用した場合であっても、海中に浮遊する海藻の胞子や幼体が線条に定着して生長する。無論、海藻の胞子や幼体を予め付着させた線条を用いれば、海藻の種類を選択して育成することができる。また、本発明に用いる魚礁材としては海藻が生えて魚貝類が育つものであれば特に限定されないが、既出した岩石の他に、例えばコンクリートブロック、鉄枠体などが挙げられる。
【図面の簡単な説明】
【００３０】
【図１】本発明の一実施形態に係る藻場構造体の正面図である。
【図２】前記藻場構造体の平面図である。
【図３】前記藻場構造体の枠構造を示す斜視図である。
【図４】図２におけるＡ−Ａ線矢視に対応した側断面図である。
【図５】前記藻場構造体の使用態様図である。
【図６】前記藻場構造体内の底部を示す態様図である。
【図７】本発明の別の実施形態に係る藻場構造体の要部を示す側断面図である。
【図８】前記別の藻場構造体の要部を示す部分斜視図である。
【図９】本発明の他の実施形態に係る藻場構造体の斜視図である。
【符号の説明】
【００３１】
１，１ａ，１ｂ  藻場構造体
２，２ａ  錘基台
５，５ａ  脚部
６    コンクリート
８    魚礁材載置部
９    魚礁材
１０，１０ａ  柱体
１１  下部横架材
１２，１２ａ  上部連結部材
１５，１５ａ  空間
１６  ロープ（線条）
１７，１７ａ  上面開口
１８  取付孔
２０  通水孔
２１  貫通孔
２２  貫通孔
２３  貫通孔
２４  孔
２５  留め具
Ｍ    海藻
Ｓ    貝類
【図１】
2006042717.tif 000003
【図２】
2006042717.tif 000004
【図３】
2006042717.tif 000005
【図４】
2006042717.tif 000006
【図５】
2006042717.tif 000007
【図６】
2006042717.tif 000008
【図７】
2006042717.tif 000009
【図８】
2006042717.tif 000010
【図９】
2006042717.tif 000011